(57)【特許請求の範囲】
【請求項１】
外周が半円形状に形成され一対の走行装置(30,30A)に設けられたアクチュエータ(60)により直線移動自在に構成され、テンタークリップ(50)を案内するようにしたテンションヘッド本体(41)を有する横延伸装置のテンションヘッド装置において、前記テンションヘッド本体(41)の中心線部に設けられたスリーブ(42)に前記アクチュエータ(60)のロッド(62)を挿入し、前記テンションヘッド本体(41)は前記スリーブ(42)とロッド(62)を介して回転及び直動するように構成されていることを特徴とする横延伸装置のテンションヘッド装置。
【請求項２】
前記アクチュエータ(60)は前記走行装置(30,30A)のレールガイド(31)に設けられ、前記テンションヘッド本体(41)に設けられた一対のシャフト(43)が前記レールガイド(31)の一対のシャフト孔(33)に係合して前記テンションヘッド本体(41)の位置決めがなされるように構成したことを特徴とする請求項１記載の横延伸装置のテンションヘッド装置。
【発明の詳細な説明】
【０００１】
【発明の属する技術分野】
本発明は、プラスチックフィルムを製造する装置の一部を構成する横延伸装置のテンションヘッド装置に関し、特に、テンションヘッド本体を押出及び回転自在とすることにより、クリップチェーンの分解・組立を簡単に行えるようにするための新規な改良に関する。
【０００２】
【従来の技術】
従来、プラスチックフィルムの製造において、延伸フィルムを製造する装置として横延伸装置があり、この横延伸装置の詳細な構成に関する説明は省略するが、概略として、フィルムの移動方向に長尺に構成されたオーブンと、このオーブン内の両側に配置され、多数のテンタークリップを閉ループ状に連結したクリップチェーンを走行駆動する走行装置と、から構成されている。さらに走行装置は、長尺のオーブンに沿って前記クリップチェーンがフィルム材料を延伸しながら走行する延伸走行部と、オーブンの両端部において、クリップチェーンが走行方向を反転させる半円形状の反転部と、から構成されている。一方の前記反転部、すなわち、上流側は、テンションヘッドが設けられ、アクチュエータにより押出して前記クリップチェーンに所定の張力を付与するとともに、クリップチェーンの分解・組立を可能にする構成である。
【０００３】
前記走行装置において、前記クリップチェーンを構成するテンタークリップあるいはチェーンの保全及び補修のためにクリップチェーンを分解組立する従来技術としては、例えば、特開平４−２７５０２３号公報に示される構成がある。この構成において、クリップチェーンの分解組立は以下の要領で行われる。すなわち、分解に際し、まず、アクチュエータを緩めてクリップチェーンの緊張状態を解除する。次に、テンションヘッドの両端部において、クリップチェーンから各１箇のテンタークリップを分解して外し、アクチュエータにより、テンションヘッドのテンションヘッド本体を押出し、その後、アクチュエータとテンションヘッド本体との連結部を分離開放する。この結果、テンションヘッド本体に位置していた一部のクリップチェーンが走行装置すなわち延伸走行部から分離される。
【０００４】
さらに、テンションヘッド本体を支持している回転台とともにテンションヘッド本体を外方向へ振出す。その後、延伸走行部の端部から走行装置に残留している大部分のクリップチェーンを引出し、所定の保全及び補修を行う。保全及び補修を終えたクリップチェーンすなわちテンタークリップ及びチェーンは、上記の分解の場合と逆の手順で組立てられる。
【０００５】
【発明が解決しようとする課題】
従来の横延伸装置のテンションヘッド装置は、以上のように構成されていたため、次のような課題が存在していた。すなわち、延伸走行部に残留する大部分のクリップチェーンを引出すために、分離されたテンションヘッド本体を外側へ引出す必要がある。その結果、テンションヘッド本体の付近に引出しのための十分なスペースが必要になると共に、装置を設置する建屋として広い敷地を必要としていた。また、テンションヘッド本体及び回転台を振出し移動するための移動可能な支持台が必要であった。
【０００６】
本発明は、以上のような課題を解決するためになされたもので、特に、余分なスペースを必要とせず、移動可能な支持台を必要とせず、クリップチェーンの分解・組立がより簡単に行える横延伸装置のテンションヘッド装置を提供することを目的とする。
【０００７】
【課題を解決するための手段】
本発明による横延伸装置のテンションヘッド装置は、外周が半円形状に形成され一対の走行装置に設けられたアクチュエータにより直線移動自在に構成され、テンタークリップを案内するようにしたテンションヘッド本体を有する横延伸装置のテンションヘッド装置において、前記テンションヘッド本体の中心線部に設けられたスリーブに前記アクチュエータのロッドを挿入し、前記テンションヘッド本体は前記スリーブとロッドを介して回転及び直動するようにした構成であり、また、前記アクチュエータは前記走行装置のレールガイドに設けられ、前記テンションヘッド本体に設けられた一対のシャフトが前記レールガイドの一対のシャフト孔に係合して前記テンションヘッド本体の位置決めがなされる構成である。
【０００８】
【発明の実施の形態】
以下、図面と共に本発明による横延伸装置のテンションヘッド装置の好適な実施の形態について詳細に説明する。図１は、横延伸装置の全体を概略的に示す平面図、図２は、図１のＡ部を示す拡大断面図、図３は、図２の矢視Ｂ−Ｂを示す構成断面図、図４は、図２の矢視Ｃ−Ｃを示す構成断面図、図５は、通常運転時の構成図、図６は、テンションヘッドの分解・組立時の途中の状態を示す図１のＡ部の斜視図、図７は、分解・組立時の途中の状態を示す構成図である。
【０００９】
図１において、符号１０で示されるものは横延伸装置であり、この横延伸装置１０は、オーブン２０及びこのオーブン２０の内部両側に八の字型に拡げられて配置された第１、第２走行装置３０、３０Ａにより構成されている。前記走行装置３０、３０Ａの図における左側すなわち上流側端部にテンションヘッド４０が設けられている。また、前記横延伸装置１０の下流側すなわち図の右側には、巻取装置（図示せず）が配置されている。前記プラスチックフィルム材料は、図１の左側から右側へ移動する間に横方向すなわち幅方向へ延伸される。すなわち、内部を所定の温度に調節されたオーブン２０の内部において、両側に対面して配置された第１、第２走行装置３０、３０Ａの後述する各テンタークリップ５０により、プラスチックフィルム材料の両側部が保持されて移動し、その間に機械的に幅方向に拡幅されて横延伸される。
【００１０】
図２ないし図４において、前記第１、第２走行装置３０、３０Ａ、はレールガイド３１、このレールガイド３１の中心線上に設けられたアクチュエータ６０及び前記テンションヘッド４０により構成されている。前記レールガイド３１には、中心線上に貫通して形成されたスリーブ孔３２が形成され、このスリーブ孔３２の両側には前記テンションヘッド４０のテンションヘッド本体４１に対面して開口する一対のシャフト孔３３が形成されている。従って、前記テンションヘッド４０は、前記レールガイド３１の反対面側に半円形状で形成された前記テンションヘッド本体４１と、このテンションヘッド本体４１に設けられ前記レールガイド３１と同軸配置のスリーブ４２と、このテンションヘッド本体４１に設けられスリーブ４２の両側に平行して配置され、前記シャフト孔３３に挿入可能な回転止め用のシャフト４３と、前記テンションヘッド本体４１の中心線上で前記スリーブ４２の基部に設けられた押圧検出器４４とにより構成されている。
【００１１】
前記アクチュエータ６０は、前記レールガイド３１のスリーブ孔３２後端に設けられた取付カバー６３と、この取付カバー６３内に設けられ先端が中心線上を往復動する押圧装置６１と、この押圧装置６１の先端に連結され前記スリーブ４２内に挿入されたロッド６２と、前記スリーブ孔３２内で前記スリーブ４２及びテンションヘッド本体４１を往復動及び回転動可能に支持するベアリング６４とにより構成されている。前記レールガイド３１の両外側及び半円形をなす前記テンションヘッド本体４１の外周には、閉ループ状に連続して図示しない走行レールが設けられ、この走行レールには多数のテンタークリップ５０を閉ループ状に連結したクリップチェーン（図示せず）が走行するように構成されている。
【００１２】
以上のように構成された走行装置３０において、スリーブ４２がレールガイド３１のスリーブ孔３２内へ挿入され、各シャフト４３がシャフト孔３３内へ挿入された状態で、押圧装置６１によりロッド６２を押し出し付勢することによりテンションヘッド本体４１が前方へ押出され、前記クリップチェーンに所定の張力が掛かったことを押圧検出器４４により確認した後、図示しない駆動装置により、両側の走行装置３０のクリップチェーンが同一速度で走行することにより、プラスチックフィルム材料を幅方向へ延伸することができる。
【００１３】
次に、テンタークリップ５０あるいはクリップチェーンの保全及び補修のためにクリップチェーンを分解組立するには、まず、アクチュエータ６０のロッド６２を引くことによりクリップチェーンの緊張状態を解除する。次に、テンションヘッド本体４１両端部に位置するレールガイド３１に沿うクリップチェーンから各１箇のテンタークリップ５０を分解して外し、図６に示されるように、アクチュエータ６０あるいは人力により、各シャフト４３がシャフト孔３３から完全に抜け出すまでテンションヘッド本体４０を前方へ押出す。次に、スリーブ４２の周りにテンションヘッド本体４１を図７のように回転させ、その結果、運転時の図５に示す状態から図７に示すように、各走行装置３０、３０Ａのテンションヘッド本体４１との連続部すなわち端部が開放され、作業スペースが確保される。
【００１４】
その後、走行装置３０に残留している大部分のクリップチェーンを引出し、テンタークリップ５０及びチェーンに対し、所定の保全及び補修を行う。保全及び補修を終えたテンタークリップ５０及びチェーンは、上記の分解の場合と逆の手順で組立てられる。
【００１５】
【発明の効果】
本発明による横延伸装置のテンションヘッド装置は、以上のように構成されていることにより、次のような効果を得ることができる。すなわち、テンションヘッドのテンションヘッド本体がアクチュエータによってレールガイドから出入自在でかつ回転できるため、テンションヘッド基部の分解・組立において、テンションヘッド基部を移動するための余分のスペースを必要とせず、従来よりも小さいスペースで作業を行うことが可能となった。
また、テンションヘッド基部を移動するための移動可能な支持台を必要としなくなった。
さらに、テンションヘッド基部の分解・組立の工程が少なくなり、簡素化され、作業がより容易に、より簡単に実施可能となった。
【図面の簡単な説明】
【図１】  横延伸装置の全体を概略的に示す平面図である。
【図２】  図１のＡ部を示す拡大断面図である。
【図３】  図２の矢視Ｂ−Ｂを示す構成断面図である。
【図４】  図２の矢視Ｃ−Ｃを示す構成断面図である。
【図５】  図３の側面図である。
【図６】  図２のテンションヘッド装置の分解・組立時の途中の状態を示す図１のＡ部の斜視図である。
【図７】  図５のテンションヘッド本体を回転させた状態を示す側面図である。
【符号の説明】
３０、３０Ａ    第１、第２走行装置
３１    レールガイド
３３    シャフト孔
４０    テンションヘッド
４１    テンションヘッド本体
４２    スリーブ
４３    シャフト
５０    テンタークリップ
６０    アクチュエータ
６１    押圧装置
６２    ロッド
６４    ベアリング
【図１】
0003714832.tif 000002
【図２】
0003714832.tif 000003
【図３】
0003714832.tif 000004
【図４】
0003714832.tif 000005
【図５】
0003714832.tif 000006
【図６】
0003714832.tif 000007
【図７】
0003714832.tif 000008